(57)【要約】  複数のビーコン装置（１２，１４，２０）と共に用いられる移動装置（１０）の電力を節約する方法と、そのような方法が実施されるように動作可能な又は構成された移動装置。そのような複数ビーコン装置の内の最初の一つのビーコン装置からの第一の所定範囲内の第一の位置に移動装置が位置している場合に、そのような複数ビーコン装置からのデータを移動装置が検出し、そして、受信する。移動装置の現在位置が決定され、そして、少なくとも前記複数ビーコン装置の内のいくつかのための蓄積位置データと比較され、移動装置のための現在位置が、そのために位置データが保持されているあるビーコン装置からの上記第一の所定範囲外と判定された場合に通信手段がそのような複数ビーコン装置を検出不能になる。
2005513975.tif 000002
【特許請求の範囲】
【請求項１】
複数のビーコン装置と共に用いられる移動装置であって、
そのような複数ビーコン装置の内の最初の一つのビーコン装置からの第一の所定範囲内の第一の位置に前記移動装置が位置している場合に、そのような複数ビーコン装置からのデータを検出し、そして、受信することができる通信手段と、
前記移動装置のための現在位置を決定することができる位置決定手段と、
少なくとも、前記複数ビーコン装置の内のいくつかのための位置データを保持する蓄積手段とを備え、
そのために位置データが保持されているあるビーコン装置からの前記第一の所定範囲外に移動しようとする前記移動装置のための前記現在位置を前記位置決定手段が決定すると前記通信手段がそのような複数ビーコン装置を検出不能になる移動装置。
【請求項２】
範囲内の場合に、あるビーコンからアクセス可能な情報確認データを蓄積ユーザ・プロファイルと比較する手段をさらに備え、前記情報確認データと前記蓄積ユーザ・プロファイルとが適合しない場合に前記通信手段が継続して不能になる請求項１に記載の移動装置。
【請求項３】
前記位置決定手段はＧＰＳ受信機を有する請求項１に記載の移動装置。
【請求項４】
請求項１に記載の移動装置と複数の前記ビーコン装置とを備えた通信システム。
【請求項５】
複数のビーコン装置と共に用いられる移動装置の電力を節約する方法であって、
そのような複数ビーコン装置の内の最初の一つのビーコン装置からの第一の所定範囲内の第一の位置に前記移動装置が位置している場合に、そのような複数ビーコン装置からのデータを前記移動装置が検出し、そして、受信し、
前記移動装置の現在位置が決定され、そして、少なくとも前記複数ビーコン装置の内のいくつかのための蓄積位置データと比較され、
そのために位置データが保持されているあるビーコン装置からの前記第一の所定範囲外に移動しようとする前記移動装置のための前記現在位置を前記位置決定手段が決定すると前記通信手段がそのような複数ビーコン装置を検出不能になる方法。
【発明の詳細な説明】
【技術分野】
【０００１】
この発明は、携帯用又は移動用の通信装置、特に、地理的に限定された送信範囲を有する固定送信機（以後、通常、ビーコンと称する）からの送信データを受信するように構成されそして動作しうる通信装置の電力を節約する方法に関する。この発明は、さらに、そのような方法が実施されるように構成され又は制御される装置に関する。
【背景技術】
【０００２】
移動電話や個人情報端末ＰＤＡ（Ｐｅｒｓｏｎａｌ  ｄｉｇｉｔａｌ  ａｓｓｉｓｔａｎｔｓ）のような携帯装置が、それらのオーナーによりいつも携帯され使用される状態で、それらの機能増強が民生電機産業のゴールとして増大している。この一例は、そのような装置が、ユーザがアクセスしたいと思う付加的データのソースと通信できるような、追加の（通常ワイヤレス）通信機能である。既に通信網を介してデータにアクセスできる携帯電話では、そのような追加通信機能は、特定地域の小売店、特定地域でのイベント等々の特別なサービス等のローカル・データを利用可能にするローカル・ビーコンからの付加的データを装置が収集できるような比較的短い距離の無線機能という形態をとることもある。そのような短い（又は長い）距離での機能は、現行の通信機能が無い例えばＰＤＡのような装置にも設けられている。そのような機能を有する装置、そして各種サービスをサポートするデータ配信設備が、本出願の優先日には未公開の本出願の譲請け人の係属出願ＰＣＴ  ＥＰ０１/０６９４６とＥＰ０１/１３０１５に記載されている。
【０００３】
Ｂｌｕｅｔｏｏｔｈ（ＢｌｕｅｔｏｏｔｈはＥｒｉｃｓｓｏｎの登録商標）、（従来のそして短距離仕様の）８０２．１１、ＲＦＬｉｔｅ、ＲＦ（無線周波数）仕様で知られる８０２．１５、そして、赤外線を用いた適切な短距離リンクの例であるＩｒＤＡと一体となって、そのようなさらなる通信リンクを介してのデータ送信のための適切なプロトコルが直ぐに利用できる。
【０００４】
移動装置とビーコンとの接続を確立するメカニズムは、通常、それが従うプロトコルにより変わる。例えば、あるメカニズムは、移動装置とビーコンとがメッセージを交換して完全なる接続を確立することを含むものでもよいし、又は、ビーコンの送信範囲内でそのビーコンからすべての移動装置に（アクセス制御無しに）送信されるデータ又はメッセージを移動装置が単にピックアップするものでもよい。
【発明の開示】
【発明が解決しようとする課題】
【０００５】
生じる問題としては、移動装置は、通常、バッテリ駆動であり、移動装置のユーザがアクセスしたいと望むビーコン配信データの存在を検出するために、もし移動装置がＲＦ又はＩＲ（又は他のワイヤレス接続手段）環境を継続的にモニターする必要がある場合、バッテリの電力が著しく低下することである。
【０００６】
従って、この発明の目的は、ビーコンをモニターするために生じる電力損失を低減する手段を提供することである。
【課題を解決するための手段】
【０００７】
この発明の第一の観点によれば、複数のビーコン装置と共に用いられる移動装置が提供され、前記移動装置は、
そのような複数ビーコン装置の内の最初の一つのビーコン装置からの第一の所定範囲内の第一の位置に前記移動装置が位置している場合に、そのような複数ビーコン装置からのデータを検出し、そして、受信する通信手段と、
前記移動装置のための現在位置を決定することができる位置決定手段と、
少なくとも、前記複数ビーコン装置の内のいくつかのための位置データを保持する蓄積手段とを備え、
そのために位置データが保持されているあるビーコン装置からの前記第一の所定範囲外に移動しようとする前記移動装置のための前記現在位置を前記位置決定手段が決定すると前記通信手段がそのような複数ビーコン装置を検出不能になる。
【０００８】
ビーコン位置に関する蓄積データを参照することにより、ビーコン信号をスキャンする際の電力損失が、好ましい結果が期待できるときのみスキャンすることにより、大幅に削減される。
【０００９】
前記移動装置は、さらに、範囲内の場合に、あるビーコンからアクセス可能な情報確認データを蓄積ユーザ・プロファイルと比較する手段をさらに備えてもよく、前記情報確認データと前記蓄積ユーザ・プロファイルとが適合しない場合に前記通信手段が継続して不能になる。このようにして、ユーザにとって興味あると知られているデータを供給するビーコンの範囲内に自身がいると前記移動装置が確信しているときのみ可能になるようにしてスキャンニングがさらにいっそう選択的に行われる。
【００１０】
さらにこの発明によれば、複数のビーコン装置と共に用いられる移動装置の電力を節約する方法であって、
そのような複数ビーコン装置の内の最初の一つのビーコン装置からの第一の所定範囲内の第一の位置に前記移動装置が位置している場合に、そのような複数ビーコン装置からのデータを前記移動装置が検出し、そして、受信し、
前記移動装置の現在位置が決定され、そして、少なくとも前記複数ビーコン装置の内のいくつかのための蓄積位置データと比較され、
そのために位置データが保持されているあるビーコン装置からの前記第一の所定範囲外に移動しようとする前記移動装置のための前記現在位置を前記位置決定手段が決定すると前記通信手段がそのような複数ビーコン装置を検出不能になる方法が提供される。
【００１１】
この発明のさらなる特徴並びに効果は、二つのビーコンからの信号を受信する移動装置を示す添付図面と共に、例のみを挙げて示した好ましい実施形態の以下の説明により明らかになる。
【発明を実施するための最良の形態】
【００１２】
図はビーコン装置１２，１４，２０のアレイと共に用いられる移動装置１０の電力を節約する方法を示し、移動装置は、Ｂｌｕｅｔｏｏｔｈ又は８０２．１１等の既知の通信プロトコルに適切に準拠する通信機能を有し、少なくともビーコン１２，１４からのメッセージ送信を受信する通信段１６を備える。図に見られるように、移動装置１０は、ビーコン１２，１４からのデータ・メッセージを受信するが、（２０Ａで示される）ビーコン２０の送信範囲外に位置し、従って、そのビーコンからのビーコン・メッセージをスキャンしても否の結果となる。
【００１３】
移動装置は、さらに、様々な形態を取りうる位置検出段１８を備え、これはビーコン１２，１４、２０のための位置（そしてさらなる補助データ）を特定する位置データの蓄積手段２２と結合されている。粗測位技術、例えば、送信セル特定（ｂｒｏａｄｃａｓｔ  ｃｅｌｌ  ｉｄｅｎｔｉｔｙ）やネットワーク三角測量（例えばＥ−ＯＴＤ）、又は、ＧＰＳ等の精度の高い技術が、移動装置又はネットワーク・オペレ−タを介して、絶対位置データを与えるのに用いることができる。ＧＰＲＳは、例えば、係属接続モードと粗位置ｆｉｘを提供する。これは、ビーコンのダウンロード“マップ”（このマップは新たなネットワーク・セルにエンターする時にダウンロードしてもよい）と共に、移動装置により用いられることができ、ビーコンのための既知の位置に近いときに、位置精度の所定範囲内で、ビーコン・メッセージのスキャンのみを行い、そして、そうでなければ、電力節約スタンバイ・モードのままである。
【００１４】
このシステムの拡張機能として、ビーコンから提供されたマップに関するサービスのクラスをもハンドセットにダウンロードし、ユーザのための蓄積プロファィルの中の現在対象となっているクラスと比較することができ、移動装置がそのようなデータを供給できると思われるビーコンから遠い場合は、移動装置は、再び、ビーコン信号をスキャンしないように選択する。
【００１５】
本開示内容から、他の変形例が当業者にとって明らかであろう。そのような変形例は、通信システム、及び又はネットワーク・アクセス装置、そしてそのデバイスやコンポーネントの設計、製造そして使用において既に知られている他の特徴を含むこともあり、それは、ここに記載した特徴の代わりに又は共に用いられるものである。
【図面の簡単な説明】
【００１６】
【図１】複数のビーコン装置のアレイと共に用いられる移動装置の電力を節約する方法を示す図である。
【図１】
2005513975.tif 000003
【国際調査報告】
2005513975.tif 000004
2005513975.tif 000005
2005513975.tif 000006